(57)【特許請求の範囲】
【請求項１】
弾性変形可能の合成樹脂を以て一体成形されてなる保持具本体を具え、該保持具本体は、被抱持部を抱持し得るように屈曲可能の一対の線状抱持片が設けられた胴部に、首部を介して頭部が設けられてなり、該一対の線状抱持片の夫々には、その延長方向に金属線材が埋入されており、各線状抱持片の屈曲形態が該金属線材の形状保持作用によって保持される如くなされており、
前記首部は、金属線材が埋入されておらず前記合成樹脂のみを以て形成されており、
前記一対の線状抱持片が前記被抱持部を抱持した状態で、前記頭部が、前記首部を弾性変形させて前記被抱持部に当接状態となり得ることを特徴とする植物保持具。
【請求項２】
１本の直線状の金属線材の中央部分が前記胴部を左右方向に貫通した状態とされ、該金属線材の中央部分からみて左右方向へ延びる両側部分が、前記一対の線状抱持片の夫々にその延長方向に埋入状態とされていることを特徴とする請求項１記載の植物保持具。
【請求項３】
弾性変形可能の合成樹脂を以て一体成形されてなる保持具本体を具え、
該保持具本体は、胴部の上端に首部を介して頭部を設けてなり、
又該胴部の上部に、左右方向逆向きに突出する一対の腕部としての一対の線状抱持片が設けられる一方、該胴部の下部に、左右方向逆向きに突出する一対の脚部としての一対の線状抱持片が設けられ、該一対の腕部と該一対の脚部は、夫々、被抱持部を抱持し得るように屈曲可能であり、
前記一対の腕部の夫々及び前記一対の脚部の夫々には、その延長方向に金属線材が埋入されており、各腕部と各脚部の屈曲形態が該金属線材の形状保持作用によって保持される如くなされており、
前記首部と、前記胴部のうちの少なくとも前記上部と前記下部との間の中間部分は、金属線材が埋入されておらず前記合成樹脂のみを以て形成されており、
前記一対の腕部が前記被抱持部を抱持した状態で、前記頭部が、前記首部を弾性変形させて前記被抱持部に当接状態となり得ることを特徴とする人型植物保持具。
【請求項４】
１本の直線状の金属線材の中央部分が前記胴部の上部を左右方向に貫通した状態とされ、該金属線材の中央部分からみて左右方向へ延びる両側部分が、前記一対の腕部の夫々にその延長方向に埋入状態とされると共に、１本の直線状の金属線材の中央部分が前記胴部の下部を左右方向に貫通した状態とされ、該金属線材の中央部分からみて左右方向へ延びる両側部分が、前記一対の脚部にその延長方向に埋入状態とされていることを特徴とする請求項３記載の人型植物保持具。
【請求項５】
前記一対の線状抱持片の先端部分には、該一対の線状抱持片が前記被抱持部を抱持した状態で互いに係合して該先端部分相互の外れを防止する外れ止め突部が設けられていることを特徴とする請求項１又は２記載の植物保持具。
【請求項６】
前記一対の線状抱持片の夫々に埋入されている前記金属線材の先端側の部分は、前記外れ止め突部において埋入状態とされており、該先端側の部分は、前記線状抱持片の前記延長方向に対して屈曲する係合屈曲部とされていることを特徴とする請求項５記載の植物保持具。
【請求項７】
前記一対の腕部としての前記一対の線状抱持片の先端部分には、該一対の腕部が前記被抱持部を抱持した状態で互いに係合して該一対の腕部の該先端部分相互の外れを防止する外れ止め突部が設けられると共に、前記一対の脚部としての前記一対の線状抱持片の先端部分には、該一対の脚部が前記被抱持部を抱持した状態で互いに係合して該一対の脚部の該先端部分相互の外れを防止する外れ止め突部が設けられていることを特徴とする請求項３又は４記載の人型植物保持具。
【請求項８】
前記一対の腕部としての前記一対の線状抱持片の夫々に埋入されている前記金属線材の先端側の部分及び、前記一対の脚部としての前記一対の線状抱持片の夫々に埋入されている前記金属線材の先端側の部分は、共に、前記外れ止め突部において埋入状態とされており、該先端側の部分は、前記線状抱持片の前記延長方向に対して屈曲する係合屈曲部とされていることを特徴とする請求項７記載の人型植物保持具。
【発明の詳細な説明】
【技術分野】
【０００１】
本発明は、生育している植物を倒れないように保持するために用いて好適な植物保持具に関するものであり、又、人型植物保持具に関するものである。
【背景技術】
【０００２】
生育している植物を倒れないように支柱に保持させるために用いることができ、又、保持された植物に装飾的な効果を付与する植物保持具の一例として特許文献１が開示するものが提案されている。
【０００３】
該植物保持具ａは図２６〜２７に示すように、土壌に突き刺された支柱ｂに植物ｃを保持させるために、該植物ｃの茎ｄと該支柱ｂとをまとめて抱持し得る一対の抱持片ｅ，ｅを具えている。そして、全体が弾性変形可能の素材を以て一体成形されており、胴部ｆの上端ｇに首部ｈを介して頭部ｊが設けられてなり、該胴部ｆの上部ｋの左右に、前記抱持片ｅ，ｅとしての腕部ｍ，ｍが設けられると共に、該胴部ｆの下部ｐの左右に、前記抱持片ｅ，ｅとしての脚部ｑ，ｑが設けられてなり、該胴部ｆと該首部ｈと該両腕部ｍ，ｍと該両脚部ｑ，ｑに、屈曲可能のワイヤフレームｒ，ｒが埋入されていた。
【０００４】
そして、該首部ｈと該左右の腕部ｍ，ｍと該左右の脚部ｑ，ｑは、全体が弾性変形可能の素材を以て一体に成形されているために屈曲可能であった。又、該左右の腕部ｍ，ｍと該左右の脚部ｑ，ｑは、図２７に示すように、植物の茎ｄと支柱ｂを抱持した状態を呈し得るように屈曲できるものであり、該首部ｈと該胴部ｆと該左右の腕部ｍ，ｍと該左右の脚部ｑ，ｑは、共に、その屈曲形態が、埋入されている前記ワイヤフレームｒによって保持されるように構成されていた。
【０００５】
しかしながら前記構成の植物保持具ａによるときは、例えば図２７に示すように、支柱ｂとこれに沿った状態にある植物の茎ｄとをまとめて抱持するように左右の腕部ｍ，ｍと左右の脚部ｑ，ｑをこれに巻いた状態とし、その際に、この巻いた状態を安定化させるために前記頭部ｊを支柱ｂに押し当てた状態としたときは、該茎ｄを損傷しやすい問題があった。即ち、前記植物保持具ａは弾性変形可能の素材を以て形成されてはいたが、埋入されている前記ワイヤフレームｒが前記首部ｈの変形を規制するために、茎ｄが太く成長したときに首部ｈが変形しにくく、従って、該頭部ｊが茎ｄの成長を阻害して茎ｄを損傷する恐れがあったのである。
【０００６】
又、例えば図２７に示すように茎ｄと支柱ｂが離れている場合において、前記頭部ｊを支柱ｂの表面に当接状態にし且つ左右の腕部ｍ，ｍが支柱ｂを抱持する一方、前記左右の脚部ｑ，ｑが茎ｄに抱持した状態としたときは、この状態で風が吹いて植物がばたついたときに茎ｄを損傷する恐れがあった。即ち、前記のように胴部ｆと首部ｈにもワイヤフレームｒが埋入されていて該胴部ｆ及び該首部ｈが変形しにくいために、植物保持具ａがかかるばたつきに追随しにくく、従って、茎ｄが損傷される恐れがあったのである。
【先行技術文献】
【特許文献】
【０００７】
【特許文献１】米国特許第６２３７７５９号
【発明の概要】
【発明が解決しようとする課題】
【０００８】
本発明は、前記従来の問題点に鑑みて開発されたものであり、植物を確実に保持できるのは元より、植物の成長を阻害しにくく、又、風が吹いて植物がばたついたときにも茎を損傷しにくい植物保持具、人型植物保持具の提供を課題とするものである。
【課題を解決するための手段】
【０００９】
前記課題を解決するため、本発明は以下の手段を採用する。
即ち本発明に係る植物保持具は、弾性変形可能の合成樹脂を以て一体成形されてなる保持具本体を具え、該保持具本体は、被抱持部を抱持し得るように屈曲可能の一対の線状抱持片が設けられた胴部に、首部を介して頭部が設けられてなり、該一対の線状抱持片の夫々には、その延長方向に金属線材が埋入されており、各線状抱持片の屈曲形態が該金属線材の形状保持作用によって保持される如くなされており、前記首部は、金属線材が埋入されておらず前記合成樹脂のみを以て形成されており、前記一対の線状抱持片が前記被抱持部を抱持した状態で、前記頭部が、前記首部を弾性変形させて前記被抱持部に当接状態となり得ることを特徴とするものである。
【００１０】
前記植物保持具において、１本の直線状の金属線材の中央部分が前記胴部を左右方向に貫通した状態とし、該金属線材の中央部分からみて左右方向へ延びる両側部分が、前記一対の線状抱持片の夫々にその延長方向に埋入状態とするのがよい。
【００１１】
本発明に係る人型植物保持具は、弾性変形可能の合成樹脂を以て一体成形されてなる保持具本体を具え、該保持具本体は、胴部の上端に首部を介して頭部を設けてなり、又該胴部の上部に、左右方向逆向きに突出する一対の腕部としての一対の線状抱持片が設けられる一方、該胴部の下部に、左右方向逆向きに突出する一対の脚部としての一対の線状抱持片が設けられ、該一対の腕部と該一対の脚部は、夫々、被抱持部を抱持し得るように屈曲可能である。そして、前記一対の腕部の夫々及び前記一対の脚部の夫々には、その延長方向に金属線材が埋入されており、各腕部と各脚部の屈曲形態が該金属線材の形状保持作用によって保持される如くなされており、前記首部と、前記胴部のうちの少なくとも前記上部と前記下部との間の中間部分は、金属線材が埋入されておらず前記合成樹脂のみを以て形成されており、前記一対の腕部が前記被抱持部を抱持した状態で、前記頭部が、前記首部を弾性変形させて前記被抱持部に当接状態となり得ることを特徴とするものである。
【００１２】
前記人型植物保持具において、１本の直線状の金属線材の中央部分が前記胴部の上部を左右方向に貫通した状態とし、該金属線材の中央部分からみて左右方向へ延びる両側部分が、前記一対の腕部の夫々にその延長方向に埋入状態とすると共に、１本の直線状の金属線材の中央部分が前記胴部の下部を左右方向に貫通した状態とされ、該金属線材の中央部分からみて左右方向へ延びる両側部分が、前記一対の脚部にその延長方向に埋入状態とするのがよい。
【００１３】
前記の各植物保持具において、前記一対の線状抱持片の先端部分に、該一対の線状抱持片が前記被抱持部を抱持した状態で互いに係合して該先端部分相互の外れを防止する外れ止め突部を設けるのがよい。この場合、該一対の線状抱持片の夫々に埋入されている前記金属線材の先端側の部分は、該外れ止め突部において埋入状態とし、該先端側の部分は、前記線状抱持片の前記延長方向に対して屈曲する係合屈曲部とするのがよい。
【００１４】
前記の各人型植物支持具おいて、前記一対の腕部としての前記一対の線状抱持片の先端部分に、該一対の腕部が前記被抱持部を抱持した状態で互いに係合して該一対の腕部の該先端部分相互の外れを防止する外れ止め突部を設けると共に、前記一対の脚部としての前記一対の線状抱持片の先端部分に、該一対の脚部が前記被抱持部を抱持した状態で互いに係合して該一対の脚部の該先端部分相互の外れを防止する外れ止め突部を設けるのがよい。この場合、該一対の腕部としての前記一対の線状抱持片の夫々に埋入されている前記金属線材の先端側の部分及び、該一対の脚部としての前記一対の線状抱持片の夫々に埋入されている前記金属線材の先端側の部分を、共に、前記外れ止め突部において埋入状態とし、該先端側の部分は、前記線状抱持片の前記延長方向に対して屈曲する係合屈曲部とするのがよい。
【発明の効果】
【００１５】
本発明は以下の如き優れた効果を奏する。
(1) 本発明に係る植物保持具は、弾性変形可能の合成樹脂を以て一体成形されてなる保持具本体を具え、該保持具本体は、被抱持部（植物の茎や、これを保持する支柱やネット等）を抱持し得るように屈曲可能の一対の線状抱持片が設けられた胴部に、首部を介して頭部が設けられてなり、該一対の線状抱持片の夫々には、その延長方向に金属線材が埋入されており、各線状抱持片の屈曲形態が該金属線材の形状保持作用によって保持される如くなされている。そして該首部は、金属線材が埋入されておらず、弾性変形可能の合成樹脂のみを以て形成されている。又、前記一対の線状抱持片が前記被抱持部を抱持した状態で、前記頭部が、前記首部を弾性変形させて前記被抱持部に当接状態となり得るように構成されている。
【００１６】
従って本発明によるときは、前記一対の線状抱持片が前記被抱持部を抱持した状態で、前記首部は、前記合成樹脂の有する弾性変形可能の性質によって、ある程度自由に弾性変形でき且つ弾性復元できる。その結果、本発明によるときは、植物を確実に保持できるのは元より、前記一対の線状抱持片が前記被抱持部を安定抱持するために前記頭部が前記被抱持部に当接した状態にあっても、該頭部が、前記首部の弾性変形によって外向きに傾くことができるため、茎の成長を阻害しにくい。
【００１７】
(2) 特に前記保持具本体を、人の形態を模した人型に構成し、その胴部の上部に、左右方向逆向きに突出する腕部としての一対の線状抱持片を設ける一方、該胴部の下部に、左右方向逆向きに突出する脚部としての一対の線状抱持片を設け、該一対の腕部の夫々及び該一対の脚部の夫々に、その延長方向に金属線材を埋入する一方、前記首部と、前記胴部のうちの少なくとも前記上部と前記下部との間の中間部分は、金属線材を埋入せず前記合成樹脂のみを以て構成する場合は、該首部と該胴部の該中間部分が、前記合成樹脂の有する弾性変形可能の性質によって、ある程度自由に弾性変形でき且つ弾性復元できる。
【００１８】
かかることから、該人型植物保持具によるときは、前記一対の腕部と前記一対の脚部との間の距離を確保できるので、支柱やネット等としての植物を保持する被抱持部から稍離れた状態にある茎であっても、それを該支柱等に確実に保持させることができる。これによって、茎を無理やり支柱側に引き寄せた状態で茎を保持させる不自然さがなく、植物を自然な状態で安定的に保持できる。
【００１９】
のみならず、風が吹いて植物がばたついたとしても前記胴部の中間部分には背骨となる金属線材が何も埋入されていないため、該胴部の弾性変形作用によって該胴部が茎の動きにある程度自由に追随できる。従って、茎の損傷を極力防止でき、風が収まれば、該胴部の弾性復元によって茎は当初の状態に戻りやすい。もしも胴部に金属線材が埋入されていると、該胴部が屈曲しにくいために、茎が風に吹かれた場合にその揺れが制約され、茎を損傷する恐れがある。
【００２０】
(3) 特に、１本の直線状の金属線材の中央部分が前記胴部（人型植物保持具の場合は前記上部と前記下部）を左右方向に貫通した状態とし、該金属線材の両側部分を、前記一対の線状抱持片（人型植物保持具の場合は一対の腕部と一対の脚部）にその延長方向に埋入状態とするときは、夫々の線状抱持片（人型植物保持具の場合は腕部や脚部）を、前記胴部に対する付け根部分において安定的に屈曲させることができる。これによって、植物保持具の屈曲形態を安定的に持続させることができる。
【００２１】
(4) 本発明に係る植物保持具を前記人型植物保持具として構成する場合は、前記左右の腕部や前記左右の脚部が支柱やネット等に対して巻く状態（抱持状態）や、これらが植物の茎に対して巻く状態（抱持状態）を変化させることにより、該人型植物保持具のとる各種のポ−ズによって、保持される植物に対して装飾的な効果を付与できる。
【００２２】
(5) 前記一対の線状抱持片の夫々に埋入されている前記金属線材の先端側の部分を前記外れ止め突部において埋入状態とし、該先端側の部分を、前記線状抱持片の前記延長方向に対して屈曲する係合屈曲部とする場合は、前記腕部や前記脚部等としての一対の線状抱持片の前記先側部分を捩ることによって前記両外れ止め突部を互いに係合させるために該外れ止め突部をその基部の周方向に捩る際、該外れ止め突部を該基部で空回りを生じさせることなく、前記金属線材を芯線として確実に捩ることができ、所要角度の捩れに伴う前記外れ止め突部相互の係合状態を安定的に持続させることができる。
【図面の簡単な説明】
【００２３】
【図１】本発明に係る人型植物保持具（植物保持具の一種）を示す斜視図である。
【図２】その正面図である。
【図３】その断面図である。
【図４】人型植物保持具が、植物の茎と支柱とからなる被抱持部を抱持した状態を示す側面図と平面図である。
【図５】茎が太く成長した状態におけるその抱持状態を示す側面図と平面図である。
【図６】人型植物保持具の腕部と脚部における金属線材の埋入状態を示す断面図である。
【図７】人型植物保持具の中央縦断面図と頭部の横断面図である。
【図８】人型植物保持具を用いて植物の茎を支柱に保持させた状態の一例を示す斜視図である。
【図９】人型植物保持具を用いて植物の茎を支柱に保持させた状態の他の例を示す斜視図である。
【図１０】人型植物保持具を用いて植物の茎を支柱に保持させた状態のその他の例を示す斜視図である。
【図１１】人型植物保持具の他の態様を示す正面図である。
【図１２】その人型植物保持具を用いて植物の茎を支柱に保持させた状態の一例を示す斜視図である。
【図１３】植物保持具のその他の態様を示す正面図である。
【図１４】その植物保持具を用いて植物の茎を支柱に保持させた状態を示す斜視図である。
【図１５】植物保持具のその他の態様を示す正面図である。
【図１６】その植物保持具を用いて植物の茎を支柱に保持させた状態を示す斜視図である。
【図１７】植物保持具のその他の態様を示す斜視図とその平面図である。
【図１８】人型植物保持具を用いて植物の茎をネットに保持させた場合の一例を示す斜視図である。
【図１９】人型植物保持具における左右の腕部と左右の脚部における金属線材の埋入状態の他の例を示す断面図である。
【図２０】人型植物保持具のその他の態様を示す斜視図である。
【図２１】人型植物保持具のその他の態様を示す斜視図である。
【図２２】金属線材の埋入状態の他の態様を示す断面図である。
【図２３】金属線材の埋入状態のその他の態様を示す断面図である。
【図２４】金属線材の埋入状態のその他の態様を示す断面図である。
【図２５】金属線材の埋入状態のその他の態様を示す断面図である。
【図２６】従来の植物保持具の一例を示す正面図である。
【図２７】その植物保持具を用いて植物の茎を支柱に保持させた場合の一例を示す斜視図である。
【図２８】その保持状態の他の例を示す斜視図である。
【発明を実施するための形態】
【実施例１】
【００２４】
図１〜３において本発明に係る植物保持具１は、弾性変形可能の合成樹脂を以て一体成形されてなる保持具本体２を具え、該保持具本体２は、被抱持部３を抱持し得るように屈曲可能（例えば図８〜１０）の一対の線状抱持片５，５が設けられた胴部６の上端４に、首部７を介して頭部９が設けられてなり、該一対の線状抱持片５，５の夫々には、図３に示すように、その延長方向に金属線材１０が埋入されており、各線状抱持片５の屈曲形態が該金属線材１０の形状保持作用によって保持される如くなされている。本発明において抱持とは、抱きしめることを意味することの他、遊びのある状態で緩く抱え込むことも意味する。そして、前記首部７には、金属線材１０が埋入されておらず前記合成樹脂のみを以て形成されており、前記一対の線状抱持片５，５が前記被抱持部３を抱持した状態で、前記頭部９が、例えば図４（Ａ）、図５（Ａ）に示すように、前記首部７を弾性変形させて前記被抱持部３に当接状態となり得るものである。以下、これをより具体的に説明する。
【００２５】
本実施例においては、図１〜３に示すように、前記保持具本体２の全体形態が人の形態を模した人型に形成されており、該保持具本体２は、胴部６の上部１１に、左右方向逆向きに突出する腕部１２，１２としての第１の一対の線状抱持片５ａ，５ａを具える一方、該胴部６の下部１３に、左右方向逆向きに突出する脚部１５，１５としての第２の一対の線状抱持片５ｂ，５ｂが設けられてなる。前記一対の腕部１２，１２の夫々及び前記一対の脚部１５，１５の夫々には、図３に示すように、その延長方向に金属線材１０が埋入されており、各腕部１２，１２と各脚部１５，１５の屈曲形態が該金属線材１０の形状保持作用によって保持される如くなされている。そして、前記首部７と、前記胴部６の内の前記上部１１と前記下部１３との間の中間部分１６には、金属線材１０が埋入されておらず、前記合成樹脂のみを以て形成されており、前記一対の腕部１２，１２が前記被抱持部３を抱持した状態で、例えば図４（Ａ）、図５（Ａ）に示すように、前記頭部９が前記首部７を弾性変形させて該被抱持部３に当接状態となり得る。
【００２６】
前記胴部６と前記首部７と前記頭部９は軸線が同一であり、該胴部６は、前記上部１１から前記下部１３に向けて拡径する円錐台状に形成され、その底面部１７は、図１（Ａ）に示すように、湾曲面状を呈している。又前記首部７は円柱状を呈しており、又前記頭部９は、図６〜７に示すように、正面側１９と背面側２０が球面状に稍盛り上がった膨出部２１，２１とされてなる碁石状を呈しており、その下部中央部２３が前記首部７に連結されている。そして、後述のように（例えば図８〜１０）前記一対の腕部１２，１２が前記正面側１９で被抱持部３を抱持する際に、該正面側１９の膨出部２１が支柱２５や植物の茎２６に当接状態となる。又、前記一対の腕部１２，１２が前記背面側２０で被抱持部３を抱持する際に、該背面側２０の膨出部２１が支柱２５や植物の茎２６に当接状態となる。
【００２７】
前記左右の腕部１２，１２は、図１〜３に示すように、前記胴部６の上部１１の左右部位において左右方向逆向きに直線状に突出しており、横断面円形状を呈し先側に向けて若干細く形成されている。そして各腕部１２，１２の先端部分２７（２７ａ），２７（２７ａ）には、上下に稍長く形成され且つ上下端が円弧面２９，２９に形成された握り拳状の外れ止め突部３０（３０ａ），３０（３０ａ）が設けられている（即ち、該先端部分２７ａが該外れ止め突部３０ａとされている）。又、前記左右の脚部１５，１５は前記胴部６の前記下部１３の左右部位に、左右方向逆向きに直線状に突出しており、横断面円形状を呈し先側に向けて若干細く形成されている。そして該脚部１５，１５の先端部分２７（２７ｂ），２７（２７ｂ）には、上部分３２が前記胴部６に向けて屈曲した靴状を呈する外れ止め突部３０（３０ｂ），３０（３０ｂ）が設けられている（即ち、該先端部分２７ｂが外れ止め突部３０ｂとされている）。
【００２８】
又図３、図６〜７に示すように、左右方向に延長する１本の直線状の金属線材（例えば０．８〜１．５ｍｍ径の鉄線やステンレス線材、アルミニウム線材等の金属線材、本実施例においては１．２ｍｍ径の鉄線）１０ａを用いて、その中央部分３５が前記胴部６の上部１１を左右方向に貫通した状態とし、前記左右一対の腕部１２，１２の夫々に、その延長方向に且つ該腕部１２，１２の軸線に沿って延長する如く、該金属線材１０ａの両側部分５２，５２を埋入状態としている。該金属線材１０ａの両端部３６，３６は前記左右の外れ止め突部３０ａ，３０ａの先端３７，３７と合致させてもよいのであるが、本実施例においては該端部３６，３６で怪我をしないように該先端３７，３７の内方に２〜３ｍｍ程度控えた状態としている。
【００２９】
又、左右方向に延長する別の１本の直線状の金属線材（例えば０．８〜１．５ｍｍ径の鉄線やステンレス線材、アルミニウム線材等の金属線材、本実施例においては１．２ｍｍ径の鉄線）１０ｂを用いて、その中央部分３９が前記胴部６の下部１３を左右方向に貫通した状態とし、前記左右一対の脚部１５，１５の夫々に、その延長方向に且つ該脚部１５，１５の軸線に沿って延長する如く、金属線材１０ｂの両側部分５２，５２を埋入状態としている。該金属線材１０ｂの両端部４０，４０は前記左右の外れ止め突部３０ｂ，３０ｂの先端４１，４１と合致させてもよいのであるが、本実施例においては該端部４０，４０で怪我をしないように該先端４１，４１の内方に２〜３ｍｍ程度控えた状態としている。
【００３０】
このように１本の金属線材１０ａ，１０ｂを用いて、一対の腕部１２，１２と一対の脚部１５，１５に金属線材１０を埋入状態としていることから、夫々の腕部１２，１２、夫々の脚部１５，１５を、前記胴部６に対する付け根部分４２，４２、４２，４２（図３）においても安定的に屈曲させることができる。
【００３１】
前記金属線材１０は、前記胴部６に関しては、その上部１１と下部１３においてのみ、これらを左右方向に貫通する如く埋入されているだけであって、該上部１１と該下部１３との間の前記中間部分１６には金属線材１０が埋入されていない。
【００３２】
かかる構成を有する人型植物保持具１ａは、前記一対の腕部１２，１２と前記一対の脚部１５，１５が夫々、各種形態に屈曲でき、その屈曲形態が前記金属線材１０の形状保持作用によって保持される。そして前記首部７と、前記胴部６のうちの前記中間部分１６には金属線材１０が埋入されていないため、該首部７と、該胴部６の該中間部分１６は、前記合成樹脂の有する弾性変形可能の性質によって、ある程度自由に弾性変形でき且つ弾性復元できる。
【００３３】
ここで、前記構成を有する植物保持具１の主要部の寸法を例示すれば、その上下方向の長さは６０ｍｍ程度に設定されると共にその胴部６の上下長さは３７ｍｍ程度に、その首部７の上下長さは４ｍｍ程度に、その頭部９の上下長さは２２ｍｍ程度に設定されている。又、前記上部１１の左右幅は１０ｍｍ程度に、前記下部１３の左右幅は１２ｍｍ程度に設定されている。又、前記左右の腕部１２，１２の夫々の突出長さは４６ｍｍ程度に設定され、前記左右の脚部１５の突出長さは４５ｍｍ程度に設定されている。
【００３４】
図８〜１０、図４〜５は、前記構成を有する人型植物保持具１ａを用いて、土壌に立設した支柱２５に植物の茎２６を保持させた状態の一例を示すものであり、前記一対の腕部１２，１２と前記一対の脚部１５，１５は適宜屈曲されて前記被抱持部（支柱２５及び／又は茎２６）３のまわりに巻かれ、左右の腕部１２，１２の先側部分４３，４３が交差され、或いは必要に応じて所要に捩られることにより、前記左右の外れ止め突部３０ａ，３０ａが互いに係合して両腕部１２，１２の該先端部分２７ａ，２７ａ相互の外れが防止される。又、前記左右の脚部１５，１５が前記被抱持部（支柱２５及び／又は茎２６）３を抱持した状態で該脚部１５，１５の先側部分４５，４５が相互が交差され、或いは必要に応じて所要に捩られることにより、前記左右の外れ止め突部３０ｂ，３０ｂが互いに係合して両脚部１５，１５の先端部分２７ｂ，２７ｂ相互の外れが防止される。そして、該人型植物保持具１ａがとるポ−ズによって植物の保持状態に装飾的な効果を付与できる。なお本発明においては、前記両腕部１２，１２が前記支柱２５や茎２６のまわりに巻かれることを、支柱２５や茎２６を抱持するといい、又、前記両脚部１５，１５がこれらのまわりに巻かれることも抱持するという。
【００３５】
図８、図４〜５は、植物の茎２６を支柱２５に略沿わせた状態で、人型植物保持具１ａが前記被抱持部３に抱き付いたポ−ズを示すものであり、前記頭部９の前記膨出部２１を前記被抱持部（本態様においては茎２６及び／又は支柱２５）３に当接させた状態で前記左右の腕部１２，１２が、該支柱２５と該茎２６の双方からなる該被抱持部３を抱持した状態にある。そしてこの状態で、該両腕部１２，１２の先側部分４３，４３を捩ることによって前記両外れ止め突部３０ａ，３０ａが互いに係合され、該両腕部１２，１２の先端部分２７ａ，２７ａ相互の外れが防止されている。この抱持状態で、図４（Ａ）に示すように、前記左右の腕部１２，１２の先側部分４３，４３を捩ることによって形成されたループ部４６に、前記茎２６が緩く挿通されている。又この状態で、前記左右の脚部１５，１５が、該支柱２５と該茎２６の双方からなる該被抱持部３を緩く抱持している。そしてこの状態で、該両脚部１５，１５の先側部分４５，４５を捩ることによって前記両外れ止め突部３０ｂ，３０ｂが互いに係合され、該両脚部１５，１５の先端部分２７ｂ，２７ｂ相互の外れが防止されている。
【００３６】
前記抱持状態では、前記左右の腕部１２，１２が、該支柱２５と該茎２６の双方からなる該被抱持部３を緩く抱え込んだ状態にあるが、前記頭部９の前記膨出部２１が前記被抱持部３に当接した状態で前記左右の腕部１２，１２による抱持が行なわれているため、人型植物保持具１によって植物の茎２６が支柱２５に、がたつきを生じさせることなく安定的に保持されている（図４）。そして、この状態で茎２６が太く成長したときは、前記頭部９が、前記首部７の外向きの弾性変形によって例えば図４（Ａ）に示す状態から図５（Ａ）に示す状態に外向きに屈曲できる。これによって、該頭部９が前記被抱持部３に当接状態にはあっても該頭部９が、前記首部７の弾性変形によって外向きに傾くことができるため、茎２６の成長を阻害しにくい。
【００３７】
図９、図１０は、植物の茎２６が支柱２５から稍離れている状態で、前記人型植物保持具１ａを用いて該茎２６を該支柱２５に保持させた態様を示すものである。本実施例に係る該人型植物保持具１ａは上下に長い胴部６を具えて、前記一対の腕部１２，１２と前記一対の脚部１５，１５との間の距離が確保されているため、支柱２５から稍離れた状態にある茎２６を該支柱２５に無理なく保持させることができるのである。これによって、茎２６を無理やり支柱２５側に引き寄せた状態で茎２６を保持させる不自然さがなく、植物を自然な状態で保持できる。
【００３８】
図９にあっては、前記頭部９が前記支柱２５に当接した状態で、前記と同様にして左右の腕部１２，１２が該支柱２５を抱持し、且つ、該両腕部１２，１２の先側部分４３，４３が捩じられることにより、両外れ止め突部３０ａ，３０ａが互いに係合して、先端部分２７ａ，２７ａ相互の外れが防止されている。前記頭部９の前記膨出部２１が前記被抱持部３（支柱２５）に当接した状態で前記左右の腕部１２，１２による抱持が行なわれているため、人型植物保持具１ａの上部分４７が支柱２５に確実に保持されている。そしてこの状態で、前記左右の脚部１５，１５が茎２６を緩く抱持し、且つ、該両脚部１５，１５の先側部分４５，４５が捩られることによって、両外れ止め突部３０ｂ，３０ｂが互いに係合して、該先端部分２７ｂ，２７ｂ相互の外れが防止されている。これらの抱持状態によって人型植物保持具１ａは、茎２６を保持した状態で支柱２５をキャッチしたようなポ−ズをとっている。この状態で茎が太く成長したときは、該茎２６が、左右の脚部１５，１５が形成するル−プ部４６内に遊びのある状態で収容され且つ両脚部１５，１５の先側部分４５，４５の内側で支持されるため、該茎２６の成長が阻害されることがない。
【００３９】
図１０にあっては、前記頭部９の前記膨出部２１を茎２６の表面に当接させた状態で前記左右の腕部１２，１２で該茎２６を抱持状態とし、該両腕部１２，１２の先側部分４３，４３を捩ることによって前記外れ止め突部３０ａ，３０ａを係合させ、これによって該腕部１２，１２の先端部分２７ａ，２７ａ相互の外れを防止する一方、前記両脚部１５，１５が前記支柱２５を抱持した状態とすると共にその先側部分４５，４５を捩り、両外れ止め突部３０ｂ，３０ｂを互いに係合させることにより、該両脚部１５，１５の先端部分２７ｂ，２７ｂの外れを防止している。
【００４０】
この抱持状態においては、図１０に示すように、前記頭部９の前記膨出部２１が前記被抱持部（茎２６）３に当接した状態にあるため、前記左右の腕部１２，１２の先側部分４３，４３を捩ることによって形成されたループ部４６には、前記茎２６が遊びのある状態で緩く挿通されている。そして該抱持状態は、前記左右の脚部１５，１５が、該支柱２５からなる被抱持部３を抱持し且つ、該両脚部１５，１５の先側部分４５，４５が捩られることにより、両外れ止め突部３０ｂ，３０ｂが互いに係合して、該先端部分２７ｂ，２７ｂ相互の外れが防止され、人型植物保持具１ａの上部分４７が支柱２５に確実に保持されている。この状態で茎２６が太く成長したときは、前記首部７が、図５（Ａ）に示すと同様に外向きに適度に弾性変形できるため、茎２６の成長が阻害されない。これらの抱持状態によって人型植物保持具１ａは、逆様の状態で茎をキャッチしたポ−ズをとっている。
【００４１】
茎２６が支柱２５から離れた状態で該茎２６が支柱２５に保持されている図９、図１０に示す態様において、今、風が吹いて植物がばたついたとしても前記胴部６の中間部分１６には背骨となる金属線材が何も埋入されていないため、該胴部６が良好に弾性変形可能であって該胴部６が茎２６の動きにある程度自由に追随できる。従って、茎２６の損傷を極力防止できる。そして風が収まれば、該胴部６の弾性復元によって茎２６は当初の状態に戻り易い。
【実施例２】
【００４２】
図１１〜１２、図１３〜１４  図１５〜１６  図１７は、本発明に係る植物保持具１の他の態様を示すものであり、図１１に示す植物保持具１は、前記と同様にして、弾性変形可能の合成樹脂を以て一体成形されてなる保持具本体２を具え、前記胴部６の上端５０と下端５１に、夫々、首部７ａ，７ｂを介して頭部９（９ａ），９（９ｂ）が設けられている。そしてこの場合も前記と同様にして、該胴部６の上部１１に、左右方向逆向きに直線状に突出する第１の一対の線状抱持片５（５ａ），５（５ａ）を具える一方、該胴部６の下部１３に、左右方向逆向きに直線状に突出する第２の一対の線状抱持片５（５ｂ），５（５ｂ）が設けられている。
【００４３】
そして、夫々の線状抱持片５ａ，５ａ、５ｂ，５ｂには、その延長方向に金属線材１０が埋入されており、各線状抱持片５ａ，５ａ、５ｂ，５ｂの屈曲形態が該金属線材１０の形状保持作用によって保持される如くなされている。本実施例においては前記実施例１におけると同様、１本の直線状の金属線材１０ａの中央部分３５が前記胴部６の上部１１を左右方向に貫通した状態とし、該金属線材１０ａの両側部分５２，５２を、前記第１の一対の線状抱持片５ａ，５ａにその延長方向に埋入させると共に、別の１本の直線状の金属線材１０ｂの中央部分３５が前記胴部６の下部１３を左右方向に貫通した状態とし、該金属線材１０ｂの両側部分５２，５２を、前記第２の一対の線状抱持片５ｂ，５ｂにその延長方向に埋入させてなる。且つ、前記第１の一対の線状抱持片５ａ，５ａの先端部分２７ａ，２７ａには、該一対の線状抱持片５ａ，５ａが前記被抱持部３を抱持した状態で互いに係合して該左右の先端部分２７ａ，２７ａ相互の外れを防止する外れ止め突部３０ａ，３０ａが設けられると共に、前記第２の一対の線状抱持片５ｂ，５ｂの先端部分２７ｂ，２７ｂには、該一対の線状抱持片５ｂ，５ｂが前記被抱持部３を抱持した状態で互いに係合して該左右の先端部分２７ｂ，２７ｂ相互の外れを防止する外れ止め突部３０ｂ，３０ｂが設けられている。
【００４４】
そして本実施例においては、前記首部７ａ，７ｂと、前記胴部６の内の少なくとも前記上部１１と、前記下部１３との間の中間部分１６には、金属線材１０が埋入されておらず、前記合成樹脂のみを以て形成されており、前記第１、第２の一対の線状抱持片５ａ，５ａ、５ｂ，５ｂが前記被抱持部３（支柱２５及び／又は茎２６）を抱持した状態で、前記頭部９ａ，９ｂの夫々が、前記首部７ａ，７ｂを弾性変形させて該被抱持部３に当接状態となり得る。
【００４５】
図１２は、かかる植物保持具１の使用状態の一例を示すものであり、前記一方の頭部９ａが、前記首部７ａを弾性変形させて前記支柱２５に当接した状態にあり、他方の頭部９ｂが、前記首部７ｂを外向きに弾性変形させて植物の茎２６に当接した状態にある。この状態で、前記第１の一対の線状抱持片５ａ，５ａが前記被抱持部（支柱２５）３を抱持した状態で該一対の線状抱持片５ａ，５ａの先側部分３３，３３が交差され、或いは必要に応じて所要に捩られることにより、前記左右の外れ止め突部３０ａ，３０ａが互いに係合して前記両線状抱持片５ａ，５ａの先端部分２７ａ，２７ａ相互の外れが防止されている。又、前記第２の一対の線状抱持片５ｂ，５ｂが前記被抱持部（茎２６）３を抱持した状態で該一対の線状抱持片５ｂ，５ｂの先側部分３４，３４が交差され、或いは必要に応じて所要に捩じられることにより、前記左右の外れ止め突部３０ｂ，３０ｂが互いに係合して両線状抱持片５ｂ，５ｂの該先端部分２７ｂ，２７ｂ相互の外れが防止されている。
【００４６】
そしてこの状態で、前記首部７ａ，７ｂが外向きに弾性変形して前記頭部９ａ，９ｂが外向きに傾くことができるため、該頭部９ａ，９ｂが茎２６の成長に追随でき、従って茎２６の成長を阻害しにくい。そして本実施例においては、前記首部７ａ，７ｂと、前記胴部６の前記中間部分１６には金属線材１０が埋入されておらず、これらは、弾性変形可能の前記合成樹脂のみを以て形成されている。従って前記したと同様に、風が吹いて植物がばたついたとしても、該胴部６が茎２６の動きにある程度自由に追随できるので、茎２６の損傷を極力防止できる。そして風が収まれば、該胴部６の弾性復元によって茎２６は当初の状態に戻り易い。
【００４７】
図１３に示す植物保持具１は、これを構成する保持具本体２が、図１〜２に示す人型保持具１ａにおける場合と相違する。即ち、該人型保持具１ａにおける前記第１の一対の線状抱持片５ａ，５ａは設けられているが、前記第２の一対の線状抱持片５ｂ，５ｂは省略された構成を有している。該一対の線状抱持片５ａ，５ａの先端部分２７ａ，２７ａには、前記と同様に外れ止め突部３０ａ，３０ａが設けられている。そして該保持具本体２は、図１４に示すように、その頭部９が、その首部７を弾性変形させて前記被抱持部３に当接状態となり得るように構成されている。そして図１３に示すように、該首部７と、該胴部６のうちの、一対の線状抱持片５ａ，５ａが設けられてなる上部１１の下側部分５３には金属線材１０が埋入されておらず、前記合成樹脂のみを以て形成されている。この場合も、該首部７が外向きに弾性変形して前記頭部９が外向きに傾くことができるため該頭部９が茎２６の成長に追随でき、従って茎２６の成長を阻害しにくい。
【００４８】
図１５に係る植物保持具１を構成する保持具本体２は、前記胴部６に、正面視でＸ字状に線状抱持片５，５、５，５が突設され、各線状抱持片５に、その延長方向に金属線材１０が埋入されており、各線状抱持片５の屈曲形態が該金属線材１０の形状保持作用によって保持される如くなされている。本実施例においては図１５に示すように、前記実施例１におけると同様、１本の直線状の金属線材１０ａ，１０ｂの中央部分３５が前記胴部６を貫通した状態とし、該金属線材１０ａ，１０ｂの両側部分５２，５２を、直線状を呈する線状抱持片５ｃ，５ｃと直線状を呈する線状抱持片５ｄ，５ｄの夫々について、その延長方向に埋入させてなる。そして、夫々の線状抱持片５ｃ，５ｃ、５ｄ，５ｄの先端部分２７ｃ，２７ｃ，２７ｄ，２７ｄには前記と同様に外れ止め突部３０ｃ，３０ｃ，３０ｄ，３０ｄが設けられている。
【００４９】
図１６は、かかる構成を有する植物保持具１を用いて、支柱２５に茎２６を沿わせてなる被抱持部３を前記線状抱持片５ｃ，５ｄ、５ｃ，５ｄを所要に屈曲させて抱持状態とすると共に、前記と同様にして両外れ止め突部３０ｃ，３０ｄ相互、両外れ止め突部３０ｃ，３０ｄを互いに係合状態にして一対の線状抱持片５ｃ，５ｄの先端部分２７ｃ，２７ｄ相互、一対の線状抱持片５ｄ，５ｃの先端部分２７ｄ，２７ｃ相互の外れが防止されている。
【００５０】
図１７は、前記胴部６に、平面視でＸ字状を呈する如く線状抱持片５、５、５、５を設けてなる植物保持具１を示すものであり、夫々の線状抱持片５に、図１７（Ｂ）に示すように金属線材１０が埋入されている。本実施例においては、一直線状を呈する一対の線状抱持片５ｅ，５ｅ、５ｆ，５ｆの夫々に、該胴部６を貫通する１本の直線状の金属線材１０ａ，１０ｂの夫々の両側部分５２，５２が埋入されている。そして前記と同様にして、夫々の線状抱持片５、５、５、５の先端部分２７，２７，２７，２７に外れ止め突部３０が設けられている。
【実施例３】
【００５１】
本発明は、前記実施例で示したものに限定されるものでは決してなく、「特許請求の範囲」の記載内で種々の設計変更が可能であることはいうまでもない。その一例を挙げれば次のようである。
【００５２】
(1) 図１８は、前記人型植物保持具１ａの他の使用態様を示すものであり、前記頭部９を茎２６に当接させ且つ前記一対の腕部１２，１２が該茎２６を抱持した逆様の状態で前記一対の脚部１５，１５がネット６０に取り付いた状態の一例を示している。
【００５３】
(2) 前記植物保持具１を構成する保持具本体２は、前記した人型の他、各種の動物や昆虫などの像を模して構成されてもよい。
【００５４】
(3) 前記金属線材１０は、例えば図１９に示すように、左右一対の線状抱持片５，５の夫々に独立的に埋入されてもよい。この場合は、前記首部 7と前記胴部６の全長に亘る部分に金属線材が埋入されていない。
【００５５】
(4) 前記外れ止め突部３０の形態は、互いに係合して一対の線状抱持片５，５の先端部分２７，２７相互の外れを防止できる限り、各種形態に構成され得る。例えば図２０、図２１に示すようなものでもよい。
【００５６】
(5) 前記実施例においては、一対の線状抱持片５，５の先端に外れ止め突部３０，３０が設けられているが、該一対の線状抱持片５，５を、前記被抱持部３を抱持するように所要に屈曲させた状態でその先端部分２７，２７相互の外れが防止されるならば、かかる外れ止め突部３０，３０を設けなくてもよい。
【００５７】
(6) 図２２〜２５は、植物保持具１、例えば人型植物保持具１ａとして構成された左右一対の腕部１２，１２としての第１の一対の線状抱持片５ａ，５ａと、左右一対の脚部１５，１５としての第２の一対の線状抱持片５ｂ，５ｂの夫々にその延長方向に埋入されている金属線材１０の先端側の部分８の他の構成を示すものであり、該先端側の部分８は、前記外れ止め突部３０ａ，３０ｂにおいて埋入状態とされており、前記線状抱持片５ａ，５ｂの前記延長方向Ｆに対して屈曲する係合屈曲部６５として構成されている。
【００５８】
このように構成した結果、前記両腕部１２，１２の前記先側部分４３，４３を捩ることによって前記両外れ止め突部３０ａ，３０ａを互いに係合させる際や、前記両脚部１５，１５の前記先側部分４３，４３を捩ることによって前記両外れ止め突部３０ｂ，３０ｂを互いに係合させるために、該外れ止め突部３０ａ，３０ｂをその基部６６，６６の周方向に捩る際、該外れ止め突部３０ａ，３０ｂを該基部６６，６６で空回りを生じさせることなく、前記金属線材１０を芯線として確実に捩ることができ、所要角度の捩れに伴う前記外れ止め突部３０ａ，３０ａ相互の係合状態や前記外れ止め突部３０ｂ，３０ｂ相互の係合状態を安定的に持続させることができる。
【００５９】
図２２に示されている前記先端側の部分８の形態は、前記腕部１２にあっては、前記延長方向Ｆに対して直角に屈曲する上下の屈曲片からなる係合屈曲部６５として構成されている。又、前記脚部１２にあっては、前記延長方向Ｆに対して上側に直角に屈曲した屈曲片からなる係合屈曲部６５として構成されている。
【００６０】
又図２３に示されている前記先端側の部分８は、前記腕部１２、前記脚部１５共に、前記延長方向Ｆに対して内方側に、直角よりも小さい角度に屈曲した屈曲片からなる係合屈曲部６５として構成されており、特に左右の腕部１２，１２については、該屈曲片の屈曲方向が逆向きとされている。
【００６１】
又図２４に示されている前記先端側の部分８は、前記腕部１２にあっては、前記延長方向に対して屈曲したＣ字状片からなる係合屈曲部６５として構成され、前記脚部１５にあっては、前記延長方向に対して直角に屈曲した、屈曲片からなり、上端部分６７が下向きの円弧状を呈する係合屈曲部６５として構成されている。
【００６２】
又図２５に示されている前記先端側の部分８は、前記腕部１２にあっては、前記延長方向Ｆに対して上側に直角に屈曲した屈曲片からなる係合屈曲部６５として構成され、前記脚部１５にあっては、前記延長方向Ｆに対して上側に略直角に屈曲され且つくの字状を呈する屈曲片からなる係合屈曲部６５として構成されている。
なお図２３〜２５においては、係合屈曲部６５に関係する符号のみを記載しているがその他の部分の符号は、図２２における場合と同様であるため省略されている。
【００６３】
前記係合屈曲部６５の形態は前記したものに限定されない。前記外れ止め突部３０ａ，３０ｂを、その基部６６，６６での空回りを生じさせることなく確実に捩ることができるように該係合屈曲部６５が前記外れ止め突部３０ａ，３０ｂにおいて埋入状態となされ、前記延長方向Ｆに対して屈曲していればよいのであり、該係合屈曲部６５の屈曲形態は前記外れ止め突部３０の形態に応じて各種に構成され得る。
【００６４】
又、該係合屈曲部６５は、前記腕部１２、前記脚部１５の何れか一方のみに設けられることがある他、図１１〜図１７、図１９〜２１に例示した保持具１においても同様に構成できる。
【００６５】
(7) 前記金属線材１０は、前記線状抱持片５が前記被抱持部３を抱持するように所要に屈曲し得るものであれば、丸線状を呈するものには特定されず、横断面が角形の角線状や、幅狭のプレ−ト状に構成されてもよい。
【符号の説明】
【００６６】
１  植物保持具
２  保持具本体
３  被抱持部
５  線状抱持片
６  胴部
７  首部
８  先端側の部分
９  頭部
１０  金属線材
１１  上部
１２  腕部
１３  下部
１５  脚部
１６  中間部分
２１  膨出部
２５  支柱
２６  茎
２７  先端部分
３０  外れ止め突部
３５  中央部分
３９  中央部分
４２  付け根部分
４３  先側部分
４５  先側部分
６５  係合屈曲部
【要約】
【課題】植物の成長を阻害しにくく、又風が吹いて植物がばたついたときにも茎を損傷しにくい人型植物保持具を提供する。
【解決手段】弾性変形可能の合成樹脂を以て一体成形されてなる保持具本体２を具える。保持具本体２は、胴部６の上端に首部７を介して頭部９を設けてなる。胴部６の上部１１と下部１３に、左右方向逆向きに突出する腕部１２，１２と脚部１５，１５を設ける。左右の腕部１２，１２の夫々及び左右の脚部１５，１５の夫々には、その延長方向に金属線材１０が埋入され、腕部１２，１２と脚部１５，１５の屈曲形態が金属線材の形状保持作用によって保持される。首部７と、胴部６の中間部分１６には金属線材が埋入されていない。
【選択図】図３【図１】
0005955992.tif 000002
【図２】
0005955992.tif 000003
【図３】
0005955992.tif 000004
【図４】
0005955992.tif 000005
【図５】
0005955992.tif 000006
【図６】
0005955992.tif 000007
【図７】
0005955992.tif 000008
【図８】
0005955992.tif 000009
【図９】
0005955992.tif 000010
【図１０】
0005955992.tif 000011
【図１１】
0005955992.tif 000012
【図１２】
0005955992.tif 000013
【図１３】
0005955992.tif 000014
【図１４】
0005955992.tif 000015
【図１５】
0005955992.tif 000016
【図１６】
0005955992.tif 000017
【図１７】
0005955992.tif 000018
【図１８】
0005955992.tif 000019
【図１９】
0005955992.tif 000020
【図２０】
0005955992.tif 000021
【図２１】
0005955992.tif 000022
【図２２】
0005955992.tif 000023
【図２３】
0005955992.tif 000024
【図２４】
0005955992.tif 000025
【図２５】
0005955992.tif 000026
【図２６】
0005955992.tif 000027
【図２７】
0005955992.tif 000028
【図２８】
0005955992.tif 000029